(57)【要約】      （修正有）【課題】低コストで、かつ製品の信頼性に影響を与えないような、簡単な構成で、レーザーダイオードの光軸のずれに起因した意図しない光点を、簡単に除去できるレーザーポインタを提供する。【解決手段】レーザーダイオード２と、このレーザーダイオードを制御する制御回路３と、レーザーダイオードの光軸上に設けられた保護プレート６と、この保護プレートの配置角度を調節する調節部材とを有することを特徴としている。特に保護プレートを光軸に対して傾斜して配置し、その配置角度を調節可能とするものである。【選択図】図１
0003198879.tif 000002
【実用新案登録請求の範囲】
【請求項１】
レーザーダイオードと、このレーザーダイオードを制御する制御回路と、前記レーザー光の光軸上に設けられた保護プレートと、この保護プレートの配置角度を調節する調節部材とを有することを特徴とするレーザーポインタ。
【請求項２】
前記調節部材は、前記保護プレートの一方の面側に回転可能に配置される保護プレート調節リングと、前記保護プレートの他方の面側に配置される弾性リングで構成されることを特徴とする請求項１項記載のレーザーポインタ。
【請求項３】
前記保護プレート調節リングは、前記光軸に垂直な面と傾斜面とを有するリングであり、前記弾性リングはシリコーン樹脂からなることを特徴とする２項記載のレーザーポインタ。
【請求項４】
前記傾斜面は、前記垂直な面に対して、１度以上３度以下の傾斜角度で交わる面であることを特徴とする請求項３項記載のレーザーポインタ。
【請求項５】
レーザーダイオードと、このレーザーダイオードを制御する制御回路と、前記レーザー光の光軸上に、傾斜して設けられた保護プレートを有するレーザーポインタであって、前記保護プレートは前記光軸に対して回転可能に配置されていることを特徴とするレーザーポインタ。
【考案の詳細な説明】
【技術分野】
【０００１】
本考案は、レーザーポインタに関するものであって、特に製造工程においてレーザーポインタの出力光の光点の制御を容易に行うことができるレーザーポインタに関するものである。
【背景技術】
【０００２】
従来からプレゼンテーションを効率よく行うためにレーザーポインタが用いられている。
このレーザーポインタは、プロジェクタを用いて、スクリーンにプレゼンテーション資料を投影しながら、プレゼンテーションする者が、所定の文字或いは画像に注目させるためにその指標したい部位に、高輝度の赤色或いは緑色のレーザー光を照射するものである。
【０００３】
従来、レーザーポインタの製造工程において、レーザーダイオードの光軸をレーザーポインタの装置本体の中心軸に正確に合わせるのは困難であり、レーザーダイオードの光軸がずれることがあった。
このレーザーダイオードの光軸がずれた場合、図４に示すようにレーザーポインタの光出力用の窓部に配置した保護プレートに、レーザー光が傾斜して照射され、これが表面で反射し、更に後面で反射して、この反射光が、意図しない光点Ａを発生させることがあった。
【０００４】
このため、このような意図しない光点が発生した場合、従来は、レーザーポインタを分解して製造し直す必要があった。
【０００５】
【特許文献１】特開２００４−３３４１２９号
【特許文献２】特開平０７−１３４２７０号
【考案の開示】
【考案が解決しようとする課題】
【０００６】
レーザー光の光軸を調節するための技術として、特許文献１に示されたような、レーザーポインターが知られている。
これは、光軸補正用のレンズを光出力窓に取り付けるものである。
しかしながら、このような特殊なレンズを設ける場合は、レンズの加工工程が必要となり、レーザーポインタが高コスト化してしまう。
また、特許文献２に示されるような、アクティブプリズムを用いたレーザーポインターが知られている。
しかしながら、このレーザーポインタも上記と同様に、高コスト化してしまう。
また、このような複雑な機構は、故障の原因となってしまい、特に使用頻度の多い利用者には好ましくない。
【０００７】
本考案は、低コストで、かつ製品の信頼性に影響を与えないような構成で、レーザーダイオードの光軸のずれに起因した意図しない光点を、簡単に除去できるレーザーポインタを提供するものである。
【課題を解決するための手段】
【０００８】
上記課題を解決するため、本考案は、請求項１に記載するように、レーザーダイオードと、このレーザーダイオードを制御する制御回路と、前記レーザー光の光軸上に設けられた保護プレートと、この保護プレートの配置角度を調節する調節部材とを有することを特徴としている。
【０００９】
また、請求項２に示すように、前記調節部材は、前記保護プレートの一方の面側に回転可能に配置される保護プレート調節リングと、前記保護プレートの他方の面側に配置される弾性リングで構成されることを特徴としている。
また、請求項３に示すように、前記保護プレート調節リングは、前記光軸に垂直な面と傾斜面とを有するリングであり、前記弾性リングはシリコーン樹脂からなることを特徴としている。
更に、請求項５に示すように、レーザーダイオードと、このレーザーダイオードを制御する制御回路と、前記レーザー光の光軸上に、傾斜して設けられた保護プレートを有するレーザーポインタであって、前記保護プレートは前記光軸に対して回転可能に配置されていることを特徴とするものである。
【考案の効果】
【００１０】
本考案によれば、製造工程でレーザーポインタの光軸ずれに起因する意図しない光点が発生した場合であっても、レーザーダイオードの光軸の調節作業をすることなく、調節部材で簡単に意図しない光点を除去することが可能となる。
【考案を実施するための最良の形態】
【００１１】
以下、本考案を実施するための最良の形態について、図面を参照して詳細に説明する。
【実施例】
【００１２】
以下、図に沿って本考案の一実施例を説明する。
図１は本考案の一実施例を示す構成図である。
１はレーザーポインタの本体ケースであり、図２に示すような円筒型の外形を有している。
この本体ケース１の内部には、赤色、或いは緑色のレーザー光を生成するレーザーダイオード２が配置されている。
３は制御回路であり、レーザーダイオード２の点灯及び出力安定化の制御を行うものである。
４は着脱可能な電源バッテリーであり、この電源バッテリー４でレーザーダイオード２が駆動される。
５は電源スイッチであり、このスイッチ５をユーザーが押している間だけ、レーザーダイオード２が駆動され、レーザー光が生成される。
【００１３】
６は保護プレートであり、後述する飾り窓７に、ごみ等が付着するすることを防止し、また埃がレーザーポインタの本体ケース１の内部に侵入するのを防止するためのものである。
８は保護プレート６の配置位置を調節するための調節リングであり、９は保護プレート６及び飾り窓７を保持、固定するための弾性リングである。
この調節リング８と弾性リング９とで、本願の請求項１の構成要素である、保護プレート用の調節部材が構成される。
１０は本体ケース１の先端に設けられたキャップであり、このキャップ１０によって、前述の保護プレート６等が本体ケース１に固定される。
【００１４】
保護プレート６は、透明なアクリル材で構成されており、レーザーダイオード２の光軸上、本体ケース１の先端付近に設けられている。
また、飾り窓７は、黒色の樹脂で構成されており、保護プレート側の開口の直径が大く、レーザーダイオード側の開口の直径が小さい傾斜した絞りを構成している。
尚、この飾り窓７は、光学系の絞りのような効果はなく、単にデザイン性を高めるために設けられている。
【００１５】
調節リング８は、本体ケース１に回転可能に配置されている。
また、この調節リング８は、本体ケース１の中心軸に垂直な面と、傾斜面とを有しており、この傾斜面は垂直な面に対して１．６度傾斜している。
このため、保護プレート６及び飾り窓７も、垂直な面に対して１．６度傾斜して配置、固定される。
尚、この傾斜角度は１度以上３度以下が好ましい。
【００１６】
弾性リング９は、シリコーン樹脂からなり、飾り窓７の後方周囲と接合している。
この弾性リング９の弾性変形により、飾り窓７及び保護プレート６は調節リング７の傾斜面に沿うように傾斜して配置固定される。
【００１７】
以上のような構造のレーザーポインタの製造工程において、上記の構成要素が組み立てられた状態で、電源スイッチ５をオンにして、レーザー光の照射テストが行われる。
このとき、レーザー光の光軸のずれに起因して、意図しない光点が確認された場合、調節リング８を回転する。
この調節リング８の回転に応じて、保護プレート６の開度位置が変化し、レーザー光の保護プレート６に対する入射角度が変化するため、意図しない光点の状態が変化する。
そして、意図しない光点が消失した状態で、調節リング８が固定される。
【００１８】
図４に、第２の実施例として、飾り窓を有しないレーザーポインタの例を示す。
この実施例では、調節リング８の調節用のレバー１１を、本ケース１から露出させている。このレバー１１によって、レーザーポインタの利用者が、自ら意図しない光点を消失させることが可能となる。
【００１９】
本考案は、上述の実施例に限定されるものではなく、例えば、本体ケースの寸法、形状等は種々変更可能である。
また、保護プレートと調節リングを一体として形成してもよい。
【産業上の利用可能性】
【００２０】
本考案は、レーザーポインタの製造時に行われる動作テストの際、レーザーダイオードの光軸のずれに起因して意図しない光点が発生しても、簡単かつ安価に、意図しない光点を除去することができるため、安価にレーザーポインタを提供することが可能となる。
【図面の簡単な説明】
【００２１】
【図１】図１は、本考案の第１の実施例の形態に係るレーザーポインタの構成を示す図である。
【図２】図２は、本考案の第１の実施例の形態に係るレーザーポインタの外形を示す図である。
【図３】図３は、本考案の第２の実施例の形態に係るレーザーポインタの構成を示す図である。
【図４】図４は、従来のレーザーポインタの問題点を説明するための図である。
【符号の説明】
【００２２】
２：レーザーダイオード
３：制御回路
６：保護プレート
８：調節リング（保護プレート調節部材）
９：弾性リング（保護プレート調節部材）
【図１】
0003198879.tif 000003
【図２】
0003198879.tif 000004
【図３】
0003198879.tif 000005
【図４】
0003198879.tif 000006
【手続補正書】
【提出日】平成27年5月25日(2015.5.25)
【手続補正１】
【補正対象書類名】実用新案登録請求の範囲
【補正対象項目名】請求項１
【補正方法】変更
【補正の内容】
【請求項１】
レーザーダイオードと、このレーザーダイオードを制御する制御回路と、前記レーザーダイオードの光軸上に設けられた保護プレートと、この保護プレートの配置角度を調節する調節部材とを有することを特徴とするレーザーポインタ。
【手続補正２】
【補正対象書類名】実用新案登録請求の範囲
【補正対象項目名】請求項５
【補正方法】変更
【補正の内容】
【請求項５】
レーザーダイオードと、このレーザーダイオードを制御する制御回路と、前記レーザーダイオードの光軸上に、傾斜して設けられた保護プレートを有するレーザーポインタであって、前記保護プレートは前記光軸に対して回転可能に配置されていることを特徴とするレーザーポインタ。
【手続補正３】
【補正対象書類名】明細書
【補正対象項目名】０００８
【補正方法】変更
【補正の内容】
【０００８】
上記課題を解決するため、本考案は、請求項１に記載するように、レーザーダイオードと、このレーザーダイオードを制御する制御回路と、前記レーザーダイオードの光軸上に設けられた保護プレートと、この保護プレートの配置角度を調節する調節部材とを有することを特徴としている。
【手続補正４】
【補正対象書類名】明細書
【補正対象項目名】０００９
【補正方法】変更
【補正の内容】
【０００９】
また、請求項２に示すように、前記調節部材は、前記保護プレートの一方の面側に回転可能に配置される保護プレート調節リングと、前記保護プレートの他方の面側に配置される弾性リングで構成されることを特徴としている。
また、請求項３に示すように、前記保護プレート調節リングは、前記光軸に垂直な面と傾斜面とを有するリングであり、前記弾性リングはシリコーン樹脂からなることを特徴としている。
更に、請求項５に示すように、レーザーダイオードと、このレーザーダイオードを制御する制御回路と、前記レーザーダイオードの光軸上に、傾斜して設けられた保護プレートを有するレーザーポインタであって、前記保護プレートは前記光軸に対して回転可能に配置されていることを特徴とするものである。